(57)【要約】【課題】回路規模の増大を抑制しつつ動画像符号化装置を複数の画像フォーマットに対応させる技術を提供する。【解決手段】動画像データを一時的に格納する格納手段と、前記格納手段から取得した動画像データの、輝度成分及び各色差成分の比率に関するフォーマットを変換するフォーマット変換手段と、前記変換された動画像データに基づいて画面内予測符号化の予測モードを決定する決定手段と、前記格納手段から取得した動画像データを前記決定された予測モードで画面内予測符号化する符号化手段と、を備え、前記決定手段は、輝度成分及び各色差成分の比率が所定の比率である所定のフォーマットの動画像データに対応し、前記フォーマット変換手段は、前記格納手段から取得した動画像データのフォーマットが前記所定のフォーマットと異なる場合、前記格納手段から取得した動画像データのフォーマットを前記所定のフォーマットに変換することを特徴とする動画像符号化装置を提供する。【選択図】図１
2014093568.tif 000002
【特許請求の範囲】
【請求項１】
動画像データを一時的に格納する格納手段と、
前記格納手段から取得した動画像データの、輝度成分及び各色差成分の比率に関するフォーマットを変換するフォーマット変換手段と、
前記変換された動画像データに基づいて画面内予測符号化の予測モードを決定する決定手段と、
前記格納手段から取得した動画像データを前記決定された予測モードで画面内予測符号化する符号化手段と、
を備え、
前記決定手段は、輝度成分及び各色差成分の比率が所定の比率である所定のフォーマットの動画像データに対応し、
前記フォーマット変換手段は、前記格納手段から取得した動画像データのフォーマットが前記所定のフォーマットと異なる場合、前記格納手段から取得した動画像データのフォーマットを前記所定のフォーマットに変換する
ことを特徴とする動画像符号化装置。
【請求項２】
前記決定手段は、所定の予測モードを含む複数の予測モードの各々について符号化対象ブロックと予測画像との相関を表す評価値を算出し、当該評価値に基づいて前記複数の予測モードのうちの１つを選択し、
前記所定の予測モードは、符号化対象ブロックの各画素について当該符号化対象ブロックに隣接する複数の画素の値を用いた予測を行うことにより予測画像を生成する予測モードであり、
前記決定手段は、前記フォーマット変換手段による変換によりデータ量が変化した成分の予測モードについては、データ量が変化しない場合に比べて前記所定の予測モードが選択されにくくなるように前記評価値に対する重み付けを行う
ことを特徴とする請求項１に記載の動画像符号化装置。
【請求項３】
前記所定の予測モードは、Ｐｌａｎｅ予測を行う予測モードである
ことを特徴とする請求項２に記載の動画像符号化装置。
【請求項４】
前記格納手段に格納される動画像データのフォーマットは、Ｙ：Ｃｂ：Ｃｒ＝４：４：４のフォーマット、Ｙ：Ｃｂ：Ｃｒ＝４：２：２のフォーマット、又はＹ：Ｃｂ：Ｃｒ＝４：２：０のフォーマットであり、
前記所定のフォーマットは、Ｙ：Ｃｂ：Ｃｒ＝４：２：０のフォーマットである
ことを特徴とする請求項１乃至３のいずれか１項に記載の動画像符号化装置。
【請求項５】
前記格納手段に格納される動画像データの色空間が前記所定のフォーマットの色空間と異なる場合に、当該動画像データの色空間を前記所定のフォーマットの色空間に変換する色空間変換手段を更に備える
ことを特徴とする請求項１乃至４のいずれか１項に記載の動画像符号化装置。
【請求項６】
前記所定のフォーマットの色空間は、ＹＣｂＣｒ色空間である
ことを特徴とする請求項５に記載の動画像符号化装置。
【請求項７】
前記格納手段に格納される動画像データの色空間は、ＲＧＢ色空間である
ことを特徴とする請求項５又は６に記載の動画像符号化装置。
【請求項８】
動画像データを生成する撮像手段と、
請求項１乃至７のいずれか１項に記載の動画像符号化装置と、
を備えることを特徴とする撮像装置。
【請求項９】
動画像データを一時的に格納する格納手段を有する動画像符号化装置の制御方法であって、
前記動画像符号化装置のフォーマット変換手段が、前記格納手段から取得した動画像データの、輝度成分及び各色差成分の比率に関するフォーマットを変換するフォーマット変換工程と、
前記動画像符号化装置の決定手段が、前記変換された動画像データに基づいて画面内予測符号化の予測モードを決定する決定工程と、
前記動画像符号化装置の符号化手段が、前記格納手段から取得した動画像データを前記決定された予測モードで画面内予測符号化する符号化工程と、
を備え、
前記決定工程は、輝度成分及び各色差成分の比率が所定の比率である所定のフォーマットの動画像データに対応し、
前記フォーマット変換工程では、前記格納手段から取得した動画像データのフォーマットが前記所定のフォーマットと異なる場合、前記格納手段から取得した動画像データのフォーマットを前記所定のフォーマットに変換する
ことを特徴とする制御方法。
【請求項１０】
コンピュータに、請求項９に記載の制御方法の各工程を実行させるためのプログラム。
【発明の詳細な説明】
【技術分野】
【０００１】
本発明は、動画像符号化装置、撮像装置、及び動画像符号化装置の制御方法に関する。
【背景技術】
【０００２】
従来、被写体を撮影し、撮影により得られた動画像データを圧縮符号化して記録するカメラ一体型動画像記録装置として、デジタルビデオカメラがよく知られている。圧縮符号化方式としては、画面内予測やフレーム間動き予測を用いて高い圧縮率で圧縮可能なＨ．２６４方式が一般的に用いられている。
【０００３】
このような圧縮符号化方式のための入力画像フォーマットとして、４：２：０フォーマットと呼ばれる標準化されたフォーマットが存在する。４：２：０フォーマットとは、ＲＧＢなどのカラー動画像データを輝度成分（Ｙ）と２つの色差成分（Ｃｂ、Ｃｒ）に変換し、水平方向・垂直方向ともに色差成分のサンプル数を輝度成分の半分に削減したフォーマットである。色差成分は輝度成分に比べて視認性が落ちることから、従来は主に４：２：０フォーマットが使用されていた。４：２：０フォーマットを使用する場合、符号化を行う前に色差成分のダウンサンプリングが行われるため、符号化対象の動画像データの情報量が削減される。
【０００４】
また、放送素材映像などの業務向け映像には、色差成分を水平方向にのみ半分にダウンサンプリングする４：２：２フォーマットが用いられることもある。更に、近年、ディスプレイの高解像度化や高階調化に伴い、色差成分をダウンサンプリングすることなく、輝度成分と同じサンプル数のまま符号化を行う符号化方式の開発も進んでいる。色差成分のサンプル数が輝度成分と同じフォーマットは、４：４：４フォーマットと呼ばれる。
【０００５】
４：２：０フォーマットの動画像データの符号化においては、輝度成分に対してのみ動き補償予測のための情報が多重化され、色差成分については、輝度成分の情報を用いて動き補償を行うことになっている。これは、４：２：０フォーマットでは画像情報のほとんどが輝度成分に集約されていること、及び、輝度信号に比べて色差成分の方が歪みの視認性が低く、映像再現性に関する寄与が小さいという特徴のもとに成り立つものである。
【０００６】
また、画面内予測のための情報に関しては、４：２：０フォーマットの動画像データの符号化においては、輝度成分に対しての情報が多重化されると共に、色差成分については、２つの色差成分に共通となる１つの情報が多重化される。これも、上述の動き補償予測の場合と同様に、４：２：０フォーマットでは、色差成分の歪みの視認性が低く、輝度成分に比べて映像再現性に関する寄与が小さいという特徴のもとに成り立つものである。
【０００７】
一方、４：４：４フォーマットでは、３つの成分が同程度に画像情報を持つため、４：２：０フォーマットのように、画像情報が１成分に大きく依存していることを前提とした符号化方式とは異なる符号化方式が望ましい。特許文献１には、４：４：４フォーマットに対応した符号化方式が開示されている。
【先行技術文献】
【特許文献】
【０００８】
【特許文献１】特開２０１０−４５８５３号公報
【発明の概要】
【発明が解決しようとする課題】
【０００９】
一般的な動画像データの圧縮符号化技術によれば、画面内予測（イントラ予測）と呼ばれる、同一画面内の画素の予測処理が行われる。通常、イントラ予測処理では、多方向からの画素の比較によって画素値の差分の最適値を算出する。従って、イントラ予測を動画像符号化装置に実装する際には、予測モードの演算に要する処理負荷を考慮しなければならない。
【００１０】
ところで、４：２：０フォーマット、４：２：２フォーマット、及び４：４：４フォーマットの３種類の画像フォーマットに対応するためには、それぞれの画像フォーマットに対応したイントラ予測モード決定回路が必要である。従って、動画像符号化装置を複数の画像フォーマットに対応させると、演算負荷、ひいては回路規模が大きくなるという課題がある。
【００１１】
本発明はこのような状況に鑑みてなされたものであり、回路規模の増大を抑制しつつ動画像符号化装置を複数の画像フォーマットに対応させる技術を提供することを目的とする。
【課題を解決するための手段】
【００１２】
上記課題を解決するために、第１の本発明は、動画像データを一時的に格納する格納手段と、前記格納手段から取得した動画像データの、輝度成分及び各色差成分の比率に関するフォーマットを変換するフォーマット変換手段と、前記変換された動画像データに基づいて画面内予測符号化の予測モードを決定する決定手段と、前記格納手段から取得した動画像データを前記決定された予測モードで画面内予測符号化する符号化手段と、を備え、前記決定手段は、輝度成分及び各色差成分の比率が所定の比率である所定のフォーマットの動画像データに対応し、前記フォーマット変換手段は、前記格納手段から取得した動画像データのフォーマットが前記所定のフォーマットと異なる場合、前記格納手段から取得した動画像データのフォーマットを前記所定のフォーマットに変換することを特徴とする動画像符号化装置を提供する。
【００１３】
なお、その他の本発明の特徴は、添付図面及び以下の発明を実施するための形態における記載によって更に明らかになるものである。
【発明の効果】
【００１４】
以上の構成により、本発明によれば、回路規模の増大を抑制しつつ動画像符号化装置を複数の画像フォーマットに対応させることが可能となる。
【図面の簡単な説明】
【００１５】
【図１】第１の実施形態に係る動画像符号化装置１００の構成を示すブロック図。
【図２】イントラ予測符号化の予測モードを例示する図。
【図３】イントラ予測モード決定部１０４の動作を示すフローチャート。
【図４】第２の実施形態に係る動画像符号化装置４００の構成を示すブロック図。
【発明を実施するための形態】
【００１６】
以下、添付図面を参照して、本発明の実施形態を説明する。なお、本発明の技術的範囲は、特許請求の範囲によって確定されるのであって、以下の個別の実施形態によって限定されるわけではない。また、実施形態の中で説明されている特徴の組み合わせすべてが、本発明に必須とは限らない。
【００１７】
［第１の実施形態］
図１は、第１の実施形態に係る動画像符号化装置１００の構成を示すブロック図である。図１においては、動画像符号化装置１００は、レンズや撮像センサー等を含む撮像部１０１を備える撮像装置として示されているが、撮像部１０１は必須の構成要素ではない。動画像符号化装置１００は、撮像部１０１により生成された動画像データを一時的に格納するフレームメモリ１０２と、動きベクトルを探索する動き探索部１０３と、イントラ予測（画面内予測）の予測モードを決定するイントラ予測モード決定部１０４と、を備える。動画像符号化装置１００はまた、画像フォーマットを変換する画像フォーマット変換部１２０と、インター予測及びイントラ予測のうちの一方を選択するイントラ・インター選択部１０５と、予測画像生成部１０６と、を備える。動画像符号化装置１００はまた、減算器１０７と、整数変換部１０８と、量子化部１０９と、逆量子化部１１０と、逆整数変換部１１１と、加算器１１２と、ループ内フィルタ１１３と、を備える。動画像符号化装置１００はまた、エントロピー符号化部１１５と、量子化制御部１１６と、符号量制御部１１７と、記録部１１８と、を備える。記録部１１８には、記録媒体１１９を装着することができる。
【００１８】
撮像部１０１により生成された動画像データは、フレームメモリ１０２の入力画像の領域に順次格納される。動画像符号化装置１００は、輝度成分及び各色差成分の比率が異なる複数の画像フォーマットに対応し、符号化対象画像の画像フォーマットをユーザが選択可能なように構成される。本実施形態では、動画像符号化装置１００は、４：２：０フォーマット、４：２：２フォーマット、及び４：４：４フォーマットの３種類の画像フォーマットに対応するものとする。即ち、ユーザは、Ｙ：Ｃｂ：Ｃｒ＝４：２：０のフォーマット、Ｙ：Ｃｂ：Ｃｒ＝４：２：２のフォーマット、及びＹ：Ｃｂ：Ｃｒ＝４：４：４のフォーマットの中から所望のフォーマットを選択することができる。フレームメモリ１０２には、ユーザが選択した画像フォーマットで動画像データが格納される。
【００１９】
動き探索部１０３は、フレームメモリ１０２から、符号化対象ブロックの画像データと、参照フレームの動き探索範囲の画像データとを読み出す。そして、動き探索部１０３は、探索範囲内の画像データと、符号化対象ブロックの画像データとのブロックマッチングにより、相関が高い場所を動きベクトルとして決定し、イントラ・インター選択部１０５に出力する。
【００２０】
イントラ予測モード決定部１０４は、画面内予測符号化（イントラ予測符号化）の予測モードを決定する。本実施形態では、イントラ予測モード決定部１０４は、図２に示すような複数の予測モードの中から予測モードを選択する。図２において、四角は１つの画素を示していて、白い四角が符号化対象ブロックの画素を示し、ハッチングされた四角は符号化対象ブロックの周辺画素を示している。各イントラ予測モードにおいて、符号化対象ブロックの周辺画素の画素値を矢印の方向に使用することにより、予測画像が生成される。図２（ａ）のＶｅｒｔｉｃａｌ予測モードでは、符号化対象ブロックの上に隣接する画素を使用して予測画像が生成される。図２（ｂ）のＨｏｒｉｚｏｎｔａｌ予測モードでは、符号化対象ブロックの左に隣接する画素を使用して予測画像が生成される。図２（ｃ）のＤＣ予測モードでは、符号化対象ブロックの周辺画素の値の平均値が予測画像の全画素の値として使用される。図２（ｄ）のＰｌａｎｅ予測モードでは、符号化対象ブロックの各画素について符号化対象ブロックに隣接する複数の画素の値を用いた演算を行うことにより、予測画像が生成される。なお、イントラ予測モードの種類は、図２に示すものに限定されない。
【００２１】
イントラ予測モード決定部１０４は、輝度成分及び各色差成分の比率が所定の比率である所定のフォーマットの動画像データに対応する。具体例として、本実施形態では、イントラ予測モード決定部１０４は、４：２：０フォーマットの動画像データのみに対応した構成を有するものとする。
【００２２】
イントラ予測モード決定部１０４は、フレームメモリ１０２に格納されている符号化対象ブロックの画像データを、画像フォーマット変換部１２０を経由して、４：２：０フォーマットの画像データとして読み出す。同様に、イントラ予測モード決定部１０４は、フレームメモリ１０２に格納されている符号化対象ブロックの周辺の画像データを、画像フォーマット変換部１２０を経由して、４：２：０フォーマットの画像データとして読み出す。
【００２３】
画像フォーマット変換部１２０は、動画像データの画像フォーマットを、イントラ予測モード決定部１０４が対応する画像フォーマットに変換する。具体的には、入力される動画像データが４：２：２フォーマットの場合、画像フォーマット変換部１２０は、色差成分を垂直方向に１／２に縮小することにより、４：２：０フォーマットの動画像データを生成する。また、入力される動画像データが４：４：４フォーマットの場合、画像フォーマット変換部１２０は、色差成分を、水平、垂直ともにそれぞれ１／２に縮小することにより、４：２：０フォーマットの動画像データを生成する。また、入力される動画像データが４：２：０フォーマットの場合は、色差成分の縮小処理は行われない。
【００２４】
なお、イントラ予測モード決定部１０４では、４：２：０フォーマットを所定のフォーマットとする構成を例示したが、４：２：０フォーマットの代わりに、例えば４：２：２フォーマットの動画像データに対応していてもよい。この場合、画像フォーマット変換部１２０は、４：２：２フォーマットと異なる４：２：０フォーマット及び４：４：４フォーマットの動画像データを、４：２：２フォーマットの動画像データに変換する。
【００２５】
イントラ予測モード決定部１０４は、符号化対象ブロックの周辺の画像データを用いて、複数のイントラ予測モードの各々に対応する予測画像を生成する。そして、イントラ予測モード決定部１０４は、複数のイントラ予測モードの各々について、符号化対象ブロックと予測画像との相関を表す評価値を算出する。評価値は、例えば、符号化対象ブロックと予測画像との画素値の差分絶対値総和であり、評価値が小さいほど相関が高いことを示す。なお、評価値の算出方法はこれに限るものではない。イントラ予測モード決定部１０４は、輝度成分用のイントラ予測モードと、２つの色差成分に共通の、色差成分用のイントラ予測モードとを決定する。
【００２６】
次に、図３のフローチャートを参照して、イントラ予測モード決定部１０４の動作を説明する。Ｓ３０１で、イントラ予測モード決定部１０４は、各イントラ予測モードの評価値に対する重み係数の初期化を行う。初期化される値は、予め定められていてもよいし、ピクチャタイプや画像の特徴などによって適応的に決定されてもよい。
【００２７】
Ｓ３０２で、イントラ予測モード決定部１０４は、前述のように各イントラ予測モードに対応する予測画像を生成し、各イントラ予測モードの評価値を算出する。Ｓ３０３で、イントラ予測モード決定部１０４は、実行中の処理が輝度成分用の予測モードを決定する処理であるか否かを判定する。輝度成分用の予測モードを決定する処理の場合、処理はＳ３０６へ進み、そうでない場合、処理はＳ３０４へ進む。
【００２８】
Ｓ３０４で、イントラ予測モード決定部１０４は、ユーザが選択した画像フォーマット（即ち、画像フォーマット変換部１２０における変換前の画像フォーマット）が４：２：０フォーマットであるか否かを判定する。４：２：０フォーマットの場合、処理はＳ３０６へ進み、そうでない場合、処理はＳ３０５へ進む。
【００２９】
Ｓ３０５で、イントラ予測モード決定部１０４は、Ｐｌａｎｅ予測に対する重み係数の値をＳ３０１で初期化した値よりも大きな値に更新する。前述のように、Ｐｌａｎｅ予測では、符号化対象ブロックの各画素について符号化対象ブロックに隣接する複数の画素の値を用いた演算を行うことにより、予測画像が生成される。また、４：２：２フォーマットや４：４：４フォーマットから４：２：０フォーマットへの変換が行われると、色差成分のデータ量が変化する（本実施形態の例では、サンプル数が減少する）。そのため、４：２：２フォーマットや４：４：４フォーマットから４：２：０フォーマットへの変換が行われた動画像データについてＰｌａｎｅ予測を行うと、予測画像の精度が落ちる。そこで、Ｓ３０５では、イントラ予測モード決定部１０４は、色差成分の予測モードについてはＰｌａｎｅ予測モードが選択されにくくなるように、Ｐｌａｎｅ予測に対する重み係数の値を大きくする。なお、イントラ予測モード決定部１０４は、Ｐｌａｎｅ予測モードに限らず、フォーマットの変換に起因して予測画像の精度が落ちる予測モードについては重み係数の値を大きくするように構成されてもよい。
【００３０】
Ｓ３０６で、イントラ予測モード決定部１０４は、Ｓ３０２で算出した各イントラ予測モードの評価値に対してそれぞれ対応する重み係数を乗じたものを新たな評価値として算出する。そして、イントラ予測モード決定部１０４は、評価値が最小となるイントラ予測モードを、符号化に用いるイントラ予測モードとして決定する。イントラ予測モード決定部１０４は、輝度成分及び色差成分それぞれについて、決定したイントラ予測モードをイントラ・インター選択部１０５に通知する。
【００３１】
イントラ・インター選択部１０５は、動き探索部１０３の結果とイントラ予測モード決定部１０４の結果とを入力し、例えば、評価値が小さい方の予測方法を選択して、予測画像生成部１０６へ通知する。予測画像生成部１０６は、入力された予測方法に従って予測画像を生成し、減算器１０７へ出力する。予測画像生成部１０６は、インター予測が選択された場合は、フレームメモリ１０２から取得した参照フレームの画像データから予測画像を生成し、イントラ予測が選択された場合は、後述する加算器１１２が出力する再構成画像から予測画像を生成する。減算器１０７は、符号化対象ブロックと予測画像との差分を計算し、差分画像データを生成する。差分画像データは整数変換部１０８へ出力される。整数変換部１０８は、入力された差分画像データに整数変換を施し、量子化部１０９は、整数変換部１０８により得られた変換係数に対して量子化処理を行う。
【００３２】
エントロピー符号化部１１５は、量子化部１０９により量子化された変換係数をエントロピー符号化し、ストリームとして記録部１１８に出力する。ここで、量子化部１０９における量子化係数は、エントロピー符号化部１１５で発生した符号量や、符号量制御部１１７から設定される目標符号量などから、量子化制御部１１６が算出する。記録部１１８は、エントロピー符号化部１１５から出力されたストリームを記録媒体１１９に記録する。
【００３３】
また、量子化部１０９により量子化された変換係数は、逆量子化部１１０にも入力される。逆量子化部１１０は、入力された変換係数を逆量子化し、逆整数変換部１１１は、逆量子化された変換係数に対して逆整数変換処理を施す。
【００３４】
加算器１１２には、逆整数変換部１１１により得られたデータと、予測画像生成部１０６により生成された予測画像データとが入力され、加算される。加算後のデータは、復号された再構成画像データとなり、予測画像生成部１０６に入力されてイントラ予測画像データの生成に用いられる。また、再構成画像データは、ループ内フィルタ１１３によって符号化歪の軽減処理が施され、インター符号化の際に用いる参照画像データとしてフレームメモリ１０２の参照画像の領域に格納される。
【００３５】
以上説明したように、本実施形態によれば、画像フォーマット変換部１２０は、フレームメモリ１０２から取得した動画像データの、輝度成分及び各色差成分の比率に関するフォーマットを、イントラ予測モード決定部１０４が対応するフォーマットに変換する。
【００３６】
これにより、回路規模の増大を抑制しつつ動画像符号化装置を複数の画像フォーマットに対応させることが可能となる。
【００３７】
［第２の実施形態］
図４は、第２の実施形態に係る動画像符号化装置４００の構成を示すブロック図である。図４において、図１と同一又は同様の構成要素については図１と同一の符号を付し、説明を省略する。動画像符号化装置４００は、色空間変換部４０１を備える点、及び、イントラ予測モード決定部１０４の代わりにイントラ予測モード決定部４０２を備える点が、動画像符号化装置１００と異なる。
【００３８】
動画像符号化装置４００は、符号化対象画像の画像フォーマットとして、第１の実施形態で説明した３つのフォーマットに加えて、Ｒ：Ｇ：Ｂ＝４：４：４のフォーマットも選択することができる。Ｒ：Ｇ：Ｂ＝４：４：４のフォーマットは、３つの色成分（Ｒ，Ｇ，Ｂ）のサンプル数が同じである点はＹ：Ｃｂ：Ｃｒ＝４：４：４のフォーマットと同じであるが、色空間が異なっている。
【００３９】
イントラ予測モード決定部４０２は、Ｙ：Ｃｂ：Ｃｒ＝４：２：０のフォーマットの動画像データのみに対応している。従って、Ｒ：Ｇ：Ｂ＝４：４：４のフォーマットが選択された場合、イントラ予測モード決定部４０２が対応するフォーマットの色空間は、符号化対象画像（フレームメモリ１０２に格納されている動画像データ）のフォーマットの色空間と異なっている。
【００４０】
色空間変換部４０１は、フレームメモリ１０２に格納されている符号化対象ブロックの画像データを、イントラ予測モード決定部４０２が対応するフォーマットの色空間（即ち、ＹＣｂＣｒ色空間）に変換した上で、画像フォーマット変換部１２０に供給する。色空間変換部４０１は、符号化対象ブロックの周辺の画像データについても、同様の処理を行う。従って、イントラ予測モード決定部４０２には、対応する色空間の対応するフォーマットの画像データが入力される。
【００４１】
色空間変換部４０１は、ＲＧＢ色空間からＹＣｂＣｒ色空間への変換を、下記の計算式に従って実行する。Ｒ成分、Ｇ成分、Ｂ成分の画素値をそれぞれ、Ｒ、Ｇ、Ｂとし、Ｙ成分、Ｃｂ成分、Ｃｒ成分の画素値をそれぞれＹ、Ｃｂ、Ｃｒとすると、Ｙ、Ｃｂ、Ｃｒは、
Y = 0.2126×R + 0.7152×G + 0.0722×B
Cb = 0.5389(B - Y)
Cr = 0.6350(R - Y)
の計算により算出される。なお、変換式は上述のものには限られない。
【００４２】
イントラ予測モード決定部４０２は、第１の実施形態と同様に、入力されたＹ：Ｃｂ：Ｃｒ＝４：２：０のフォーマットの画像データに基づき、輝度成分用及び色差成分用それぞれのイントラ予測モードを決定する。そして、イントラ予測モード決定部４０２は、Ｇ成分用のイントラ予測モードとして、決定した輝度成分用のイントラ予測モードを選択し、Ｂ成分及びＲ成分用の共通のイントラ予測モードとして、決定した色差成分用のイントラ予測モードを選択する。或いは、イントラ予測モード決定部４０２は、決定した輝度成分用のイントラ予測モードを、Ｒ成分、Ｇ成分、及びＢ成分用の共通のイントラ予測モードとして選択してもよい。そして、イントラ予測モード決定部４０２は、選択したイントラ予測モードをイントラ・インター選択部１０５に通知する。
【００４３】
以上説明したように、本実施形態によれば、色空間変換部４０１は、フレームメモリ１０２から取得した動画像データの色空間を、イントラ予測モード決定部４０２が対応するフォーマットの色空間に変換する。イントラ予測モード決定部４０２は、フレームメモリ１０２に格納されている動画像データの色空間の各成分用のイントラ予測モードを、イントラ予測モード決定部４０２が対応するフォーマットの画像データに基づいて決定したイントラ予測モードの中から選択する。
【００４４】
これにより、回路規模の増大を抑制しつつ、動画像符号化装置を、色空間が異なる複数の画像フォーマットに対応させることが可能となる。
【００４５】
［その他の実施形態］
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2014093568.tif 000003
【図２】
2014093568.tif 000004
【図３】
2014093568.tif 000005
【図４】
2014093568.tif 000006